(57)【要約】      （修正有）【課題】一時避難用施設などのような施設や一般人が日常生活を営む環境において着用され、特に、ＰＭ２．５などの除去や放射性物質の除去などに好適であると共に、放射性ヨウ素の影響が大きい子供用にも好適な放射性物質除去用マスク。【解決手段】鼻孔を覆うマスク本体２と上記マスク本体２の左右側に設けられる耳掛け部３とよりなる繊維状の放射性物質除去用のマスクであって、所定形状の数枚のガーゼを重ね合わせてその厚を得ると共に、その端部周辺をかがり縫いしたマスク本体２と、放射性物質除剤が添着された基材からなる放射性物質除去体を備え、上記放射性物質除去体が上記マスク本体２の顔面に対向する内側面あるいは外側面に装着されることを特徴とする放射性物質除去用マスク。【選択図】図１
2016107027.tif 000002
【特許請求の範囲】
【請求項１】
鼻孔を覆うマスク本体と上記マスク本体の左右側に設けられる耳掛け部とよりなる繊維状の放射性物質除去用のマスクであって、
所定形状の数枚のガーゼを重ね合わせてその厚を得ると共に、その端部周辺をかがり縫いしたマスク本体と、
放射性物質除剤が添着された基材フィルタからなる放射性物質除去体を備え、
上記放射性物質除去体が上記マスク本体の顔面に対向する内側面あるいは外側面に装着されることを特徴とする放射性物質除去用マスク。
【請求項２】
上記放射性物質除去体は、除塵フィルタと上記放射性物質除剤が添着された基材フィルタとが互いに一体的に積層とされてなることを特徴とする請求項１の放射性物質除去用マスク。
【請求項３】
上記除塵フィルタは、静電フィルタであることを特徴とする請求項１記載の放射性物質除去用マスク。
【請求項４】
上記除塵フィルタと上記放射性物質除剤が添着された基材フィルタとは、ニードルパンチ装置により互いに一体的に積層されることを特徴とする請求項２または３記載の放射性物質除去用マスク。
【請求項５】
上記マスク本体は、放射性物質の吸着・沈着の速い子供用と大人用に合わせることを特徴とする請求項１、２、３または４記載の放射性物質除去用マスク。
【請求項６】
上記耳掛け部は、着用者の顔面に合わせて長さ調整が可能なループ調整機構を備えることを特徴とする請求項１、２、３、４または５記載の放射性物質除去用マスク。
【請求項７】
上記耳掛け部は、紐部に着脱自在に取り付けられる耳部保護用カバー体を備えることを特徴とする請求項１、２、３、４，５または６記載の放射性物質除去用マスク。
【請求項８】
上記マスク本体の顔面に対向する内面側には、上記マスク本体と顔面に対向する内面側との隙間を塞ぐフィツタを備えることを特徴とする請求項１、２、３、４、５、６、または７記載の放射性物質除去用マスク。
【発明の詳細な説明】
【技術分野】
【０００１】  本発明は、一時避難用施設などのような施設や一般人が日常生活を営む環境において着用され、特に、ＰＭ２．５の除去や放射性ヨウ素などの放射性物質除去などさらに子供用としても好適な放射性物質除去用マスクに関する。
【背景技術】
【０００２】  従来、鼻孔をふさいで顔面に装着されるマスクには、防毒マスク・防塵マスク・防煙マスクなどのように特殊な用途で使用されるマスクと、日常生活において一般的に使用されている衛生マスクなどようなマスクがある。
特殊な用途で使用されるマスクは、原子力施設やＲＩ（放射性同位元素）を使用する研究実験施設あるいは放射性物質を取り扱う医療施設のような施設や、放射性物質を取り扱わない工事現場や事故現場などでも使用される。
日常生活において一般的に使用されているマスクは、風邪などにかかった患者やその患者を取り扱う医者あるいは医療従事者などを主として用いられているが、その他にも花粉、ホコリなどの浮遊物やＰＭ２．５の微小粒子状物質などの除去対策としても用いられている。【０００３】  原子力施設やＲＩ（放射性同位元素）を使用する研究実験施設あるいは放射性物質を取り扱う医療施設のような施設では、放射性ヨウ素などの放射性物質を取り扱うため、法律に規定された基準値以下にその濃度を低下させ、安全性を確保したうえで施設外に排出させることが義務付けられているが（以下、このような施設を「放射性取扱施設」という）、このような放射性取扱施設で使用される特殊なマスクとして、例えば、特開２０００−１６７０７５や特開２００４−１４１４５５など多数のものがある。
但し、これらのものは、その構造も複雑で装着にも手間取り装着感も重厚であつた。また、放射性物質を取り扱わないが工事現場や事故現場などのよう場所で使用されるマスクも、同様にその構造もかなり複雑であり装着にも手間のかかるものであった。【０００４】  一方、放射性物質による汚染と被ばくを防ぐ放射性物質除去用マスクとしては、現在主なものとして、特許文献１、特許文献２、特許文献３などがある。
特許文献１は、マスク本体１が平均繊維径が１〜１００μｍの範囲内にあるマイクロ繊維１２を含むマイクロ繊維層と、マイクロ繊維層に積層された平均繊維径が１０ｎｍ〜３０００ｎｍの範囲内にあるナノ繊維を含むナノ繊維層とを有し、ナノ繊維がポリビニルアルコールからなる放射性物質遮断マスクが示唆・開示されている。
また、特許文献２は、基材に放射性物質の吸着剤を含有してなるエアフィルタであって、吸着剤が、ダイヤモンド微粒子にフェロシアン化金属化合物及び／又はフェリシアン化金属化合物を担持してなる複合ダイヤモンド微粒子、及び／又はカーボンナノチューブにフェロシアン化金属化合物及び／又はフェリシアン化金属化合物を担持してなる複合カーボンナノチューブである放射性物質除去用マスクが示唆・開示されている。
また、特許文献３は、複数の活性炭素繊維に放射性有機ヨウ素を吸着する吸着剤が添着されている使い捨てマスクが開示されている。【０００５】  一般的に使用されている衛生マスクは、価格も手ごろであり容易に装着することができるものであるが、近年は、ＰＭ２．５のように環境問題の悪化や福島原発事故などの影響によりその需要に変化がみられる。
特に、放射性物質による汚染と被ばく懸念による問題は、一般市民を巻き込む問題でもあり国をあげて取り組んでいる。例えば、国の支援にもとづいて放射性物質を避けまた放射性物質から身を守るために一時避難施設のような施設が提唱されその建設が急がれているが、ここで使用されるマスクは、子供を含め一般人向けの装着性のよい手軽な放射性物質除去用マスクが求められている。
放射性ヨウ素は、子供にも大人にも影響が大きいが、特に、子供の吸着・沈着が速いため放射性物質除去用マスクが必要とされている。
【先行技術文献】
【特許文献】
【０００６】
【特許文献１】特開２０１２−２２３２５４公報
【特許文献２】特開２０１３−１２７３７２公報
【特許文献３】特開２０１４−０７３３５８公報
【発明の概要】
【発明が解決しようとする課題】
【０００７】  しかしながら、上記したような特許文献は、基材に種々の異なる放射性物質の吸着剤を含有してなるものであるが、その放射性物質の吸着剤を有する放射性物質除去体を特殊な用途で使用されるのではなく、日常生活において一般的に使用されているマスクとして使用するには、様々な工夫が必要である。
しかして、空気中に撒き散らされた放射性ヨウ素、及び、ガス状の放射性ヨウ素などから一般人を保護するためには、放射性物質を確実に除去すると共に、通常使用されているマスクのような装着性が必要である。
すなわち、できるだけ従来のマスクのような素材を使い、装着性や装着感も従来のものに近く、見栄えも従来に近いものであることが必要である。
しかしながら、従来は、そのように放射性物質を確実に除去し、通常使用されている衛生マスクのような装着性を有し、装着感また見栄えもよいなどの要求を満足するものは全くなかつた。【０００８】  本発明は、このような問題を解決すべく鋭意研究の結果なされたものであり、
▲１▼  放射性物質除去用マスクとして、種々の放射性物質の除去剤を添着された放射性物質除去用体を用いる。
▲２▼  放射性物質除去体が着脱自在であり装着が容易である。
▲３▼  全体的に装着感がよく人体に優しいこと。
▲４▼  製作に対して手縫い縫製で効率よく製造できること。
本発明は、このような要求を満足する放射性物質除去用マスクとその製造を手軽に達成するものとして研究された。【０００９】  本発明の目的は、放射性ヨウ素、及び、ガス状の放射性ヨウ素などの放射性物質を防ぐと共に、従来から周知の衛生マスクのような装着性・装着感を有する放射性物質除去用マスクを提供するものである。
【課題を解決するための手段】
【００１０】  本発明は、上記のような目的を達成するために、放射性物質除去用マスクとして、請求項１記載のように、鼻孔を覆うマスク本体と上記マスク本体の左右側に設けられる耳掛け部とよりなる繊維状の放射性物質除去用のマスクであって、所定形状の数枚のガーゼを重ね合わせてその厚を得ると共に、その端部周辺をかがり縫いしたマスク本体と、放射性物質除剤が添着された基材フィルタからなる放射性物質除去体を備え、上記放射性物質除去体が上記マスク本体の顔面に対向する内側面あるいは外側面に装着されることを特徴とする。
また、請求項２記載のように、上記放射性物質除去体は、除塵フィルタと上記放射性物質除剤が添着された基材フィルタとが互いに一体的に積層とされてなることを特徴とする。
また、請求項３記載のように、上記除塵フィルタは、静電フィルタであることを特徴とする。
また、請求項４記載のように、上記放射性物質除去体の除塵フィルタと放射性物質除剤が添着された基材フィルタとは、ニードルパンチ装置により互いに一体的に積層されることが可能なことを特徴とする。
また、請求項５記載のように、上記マスク本体は、放射性物質の吸着・沈着の速い子供用と大人用に合わせることを特徴とする。
また、請求項６記載のように、上記耳掛け部は、着用者の顔面に合わせて長さ調整が可能なループ調整機構を備えることを特徴とする。
また、請求項７記載のように、上記耳掛け部は、耳掛け紐に着脱自在に取り付けられる耳部保護用カバー体を備えることを特徴とする。
また、請求項８記載のように、上記マスク本体の顔面に対向する内面側には、上記マスク本体と顔面に対向する内面側との隙間を塞ぐフィツタを備えることを特徴とする。
【発明の効果】
【００１１】  本発明の放射性物質除去用マスクは、基板上に放射性物質を添着した放射性物質除去体をフィルタとするので、放射性物質を除去することができ、着脱自在であり装着性が容易であり、全体的に装着感がよく人体に優しいなどの放射性物質除去用マスクを提供することができる。
特に、耳掛け部が着用者の顔面に合わせて長さ調整が可能なループ調整機構を備え、耳掛け紐に着脱自在に取り付けられる耳部保護用カバー体を備え、マスク本体と顔面に対向する内面側との隙間を塞ぐフィツターを備えるので、放射性物質の吸着・沈着の速い子供用にも合わせたることが可能であり、より一層人体に優しい装着感が得られる。
【図面の簡単な説明】
【００１２】
【図１】  放射性物質除去用マスクの正面図である。
【図２】  マスク本体の内面側とポケット部を示す背面図である。
【図３】  マスク本体の構造を示す斜視図である。
【図４】  マスク本体と放射性物質除去体の構造を示す説明用断面図である。
【図５】  耳掛け部のループ調整機構を示す説明図である。
【図６】  マスク本体と顔面との隙間を塞ぐフィツターの説明図である。
【図７】  放射性物質除去体の製造手順を示す各工程図である。
【図８】  放射性物質除去用マスクの製造手順を示す各工程図である。
【発明を実施するための形態】
【００１３】  本発明の実施例を図面にとともに説明する。
なお、放射性物質除去用マスクの実施例としては、基板として活性炭素繊維に放射性物質を添着した放射性物質除去フィルタを代表例として説明する。
図１は、放射性物質除去用マスクの外観を示す正面図であり、同図に示すように、繊維状の放射性物質除去用マスク本体１は、鼻孔を覆うように装着されるマスク本体２と、マスク本体２の左右側に設けられたループ状の耳掛け部３と、マスク本体２の内面側（鼻孔を覆い鼻孔部分に対向する面）に設けられるポケット部４とよりなる。
ポケット部４には、図中左側に形成されている開口部４ａより放射性物質除去体５が取り外し自在に出し入れされる。
【００１４】  マスク本体２の生地（身生地）は、空気の力を使って繊維を撚り合わせた空紡糸を使ってふんわり織り上げられたガーゼ体とされている。
また、マスク本体２の鼻孔を覆い鼻孔部分に対向する内面側には、放射性物質除去体５が不織布よりなるガーゼに挟まれるようにして配され、このマスク本体２は５重のガーゼによって成形されている。
但し、このガーゼ体はその目の粗さによって装着感も変わるので、枚数などによる厚としてはこれらの点を考慮しつつ適宜変更可能である。
【００１５】  耳掛け部３とポケット部４とは、上記したマスク本体２と同様な素材により形成されるが、上記目的を達成する範囲で種々設計変更可能である。
例えば、放射性物質除去体５が出し入れされるポケット部４の端部周辺のかがり縫い部２ａや、耳掛け部３のパイピング製の紐部３ａには、薄手のボイルガーゼなどのようにさらりとした肌触りで軽くて薄い素材が使われる。
ポケット部４は、マスク本体２の全域に添着されているが、必ずしもマスク本体全域とする必要はなく、例えば、図中左側部が放射性物質除去体５の出し入れ用の開口部４ａとされている。
だだし、この開口部４ａは、挿入された放射性物質除去体５が容易に抜け出さないようにストッパ機構（図示略）を備えている。
【００１６】  ポケット部４に収納される放射性物質除去体５は、静電フィルタである除塵フィルタ材６とトリエチレンジアミンが添着された活性炭素繊維製フィルタ７と不織布８とが３層構造に重ね合わされ、１シートとされて一体的に圧着されている。
各材６、７、８は、除塵フィルタ６の裏面に放射性物質除剤が添着された活性炭素繊維製フィルタ７が添着され、かつその放射性物質除剤が添着された活性炭素繊維製フィルタ７の裏面側に不織布８が添着され互いに重なり合うように積層される。
この積層された各材は、ニードルパンチ装置（図示略）によりニードルパンチンングされ、各材料は互いに一体的に縫い付けされる。
すなわち、除塵フィルタ６と放射性物質除剤が添着された活性炭素繊維製フィルタ７と不織布８とが互いに重わされた放射性物質除去体５は、接着剤を用いずに接着されることとなる
静電フィルタである除塵フィルタ材６は、粒子径２．５μ以下の粒子状物質などを除塵するものが選択されるが、その他粒子径２．５μ以下ではないが花粉、ホコリなどの浮遊物を遮断することができるものなど適宜選択可能である。
【００１７】  また、図３に示すように、耳掛け部３には着用者の顔面に合わせて長さ調整が可能なループ調整機構３ａを備えている。このループ整機構は種々の長さ調整機構の知られており、適宜選択可能であるので詳細な説明は省略する。
また、図５のように、耳掛け部３の紐部３ａに着脱自在に取り付けられる耳部保護用カバー体３ｂを備え、また、図５のように、マスク本体２の顔面に対向する内面側には、マスク本体２と顔面に対向する内面側との隙間を塞ぐフィツター９を備えている。
なお、図７のように、紐部３ａは耳部に引きかけるものの他、頭部に巻き付けるように構成してもよい。
さらに、マスク本体２には、呼吸を助けるため空気弁（図示略）を設けてもよい。この空気弁は種々の設計変更が可能である。
【００１８】  トリエチレンジアミンが添着された活性炭素繊維製フィルタ７は、活性炭素繊維の全酸性基量を０．２ｍｅｑ／ｇ以下、望ましくは０．１９ｍｅｑ／ｇ以下、さらに望ましくは０．１８ｍｅｑ／ｇ以下として、初期における有機ヨウ素の除去効率が低下しない様にしている。
【００１９】  また、不織布は、活性炭素繊維で構成される不織布を用い、該活性炭素繊維の平均単繊維直径を２５μｍ以下とし、最小限の活性炭素繊維量で高効率、高寿命、及び低圧力損失を実現する。
【００２０】  また、本発明のフィルタは、透過速度係数が０．０７〜０．６０ｃｍ／ｓ／Ｐａ、好ましくは０．０７１〜０．５９ｃｍ／ｓ／Ｐａ、さらに好ましくは０．０７２〜０．５８ｃｍ／ｓ／Ｐａの範囲で構成されることが圧力損失と除去効率のバランスを考える上で好ましい。
なお、透過速度係数とはフィルタの圧力損失測定時の風速を測定された圧力損失で除したものであり、これが大きい場合には総じて通気抵抗が低く、小さい場合には気抵抗が高い。
本発明のフィルタは、適度な通気抵抗を有するが最小限の活性炭素繊維量で必要な放射性ヨウ素除去性能を発現するものである。
【００２１】  また、本発明のフィルタは必要な放射性ヨウ素除去性能を得るために、フィルタを構成する活性炭素繊維重量が１５０〜１５００ｇ／ｍ２であることが好ましく、放射性ヨウ素、特にヨウ化メチル（ＣＨ３１３１Ｉ）に代表される放射性有機系ヨウ素化合物を構成するヨウ素１３１が吸着し、かつ通気時における妨害物質の影響を少なくするために必要な量であり、好ましくは１６０〜１４００ｇ／ｍ２、より好ましくは１７０〜１３００ｇ／ｍ２である。
【００２２】  活性炭素繊維に添着させる化学物質としては、シクロオクタン（トリエチレンジアミン）、Ｎ，Ｎ’−ビス−（３−アミノプロピル）−ピペラジン、Ｎ，Ｎ−ジメチル−アミノエチルメタクリレート、Ｎ，Ｎ−ジメチルアミノプロピルアミン、３−アミノプロピルトリメトキシシラン、１，５−ジアザビシクロウンデセン、ポリ−３級−ブチルアミノエチルメタクリレート、ポリエチレンイミン、１，５−ジアザピシクロ〔４，３，０〕ノン−５−エン、１，５−ジアザピシクロ〔５，４，０〕ウンデ７−５−エン、２−メチル−１，４−ジアザピシクロ〔２，２，２〕オクタン、フェニルヒドラジン、２−シアノピリジン、ジイソプロピルアミン、トリメチルアミノエチルピペラジン、ヘキサメチレンテトラミン、メチルポリエチレンイミン、ポリアルキルポリアミンなどのアミン類の他、ヨウ化ナトリウム、ヨウ化カリウム、ヨウ化錫といった金属ヨウ化物が挙げられるが、添着する化学物質の種類は限定されない。
【００２３】  このように、この実施例に係る放射性物質除去用フィルタ１は、この放射性物質除去体５がポケット部４内に出し入れ自在とされ、放射性物質除去体５の装着時であるは使用時には放射性ヨウ素の他セシウムなどの放射性物質を除去し、装着しない不使用時にはそのまま通常の衛生マスクとして使うことができ、空気中にまき散らされた放射性ヨウ素の他セシウムなどの放射性物質を除去することができると共に、その放射性物質を除去する除去体の装着性がきわめて容易であり、しかもマスク本体が人体に優しい繊維製を有しているので、従来一般的に使用されている衛生マスクのように違和感なく取り扱うことができる。
【００２４】  次に、この放射性物質除去用マスクの製造について説明する。図６及び図７は、製造工程を示す説明図である。
始めに、放射性物質除去体５の製造について説明する。なお、放射性物質除去用マスク本体１については前述した通りであるのでその詳細な説明は省略する。
第１工程：材料準備工程（ステップ１００）
放射性物質除去体５を準備すべく、静電フィルタである除塵フィルタ６と放射性物質除剤が添着された活性炭素繊維製フィルタ７と不織布８とを互いに重なり合うように所定寸法で所定長として準備する材料準備工程である。
【００２５】第２工程：放射性物質除去体の成形工程（ステップ１０１）
各材料は、除塵フィルタ６の裏面に放射性物質除剤が添着された活性炭素繊維製フィルタ７が添着され、かつその放射性物質除剤が添着された活性炭素繊維製フィルタ７の裏面側に不織布８が添着され互いに重なり合うように積層される。この積層された各材は、ニードルパンチ装置（図示略）によりニードルパンチンングされ、各材料は互いに一体的に縫い付けされる。
すなわち、除塵フィルタ６と放射性物質除剤が添着された活性炭素繊維製フィルタ７と不織布８とが互いに重わされた放射性物質除去体５は、接着剤を用いずに接着されることとなる。
【００２６】第３工程：放射性物質除去体の装着工程（ステップ１０２）
放射性物質除去体５として接着剤を使わずに一体化された除塵フィルタ６と放射性物質除剤が添着された活性炭素繊維製フィルタ７と不織布８は、その周縁部がかがり縫いなどされてポケット部４に収納可能に裁断される。
【００２７】  次に、マスク本体との耳掛け部の製造について説明する。
第１工程：マスク本体の成形工程（ステップ２００）
マスク本体２の製造は、所定寸法及び所定長の４枚のガーゼを準備し、この４枚のガーゼを互いに重ね合わせると共に、マスク本体２の内面側にさらにボイルガーゼが配され、この実施例ではマスク本体２としては計５枚のガーゼが重なり合わされている。
所望の形状の計５枚のガーゼマスク本体２を得たならば、マスク本体２の端部周縁を縫い合わせるが、このマスク本体２の生地（身生地）には空気の力を使って繊維をより合わせた空紡糸を使用しているので、ふんわりとした織り上げ観がある。
【００２８】第２工程：耳掛け部の成形工程（ステップ２０１）
また、耳掛け部３は、マスク本体２と同様な素材により形成されるが、マスク本体２と耳掛け部３との結合部分２３は薄手のボイルガーゼによりかがり縫いされて結合されている。
【００２９】第３工程：ポケット部の成形工程（ステップ２０２）
また、マスク本体２の内面側（鼻孔と対向する面）には、放射性物質除去体５を挿入するポケット部４が縫い合わされている。この実施例では、このポケット部４はマスク本体２の全域に添着されており、図中左側部が放射性物質除去体５の出し入れ用の開口部４ｂとされている。
だだし、この開口部４ｂは挿入された放射性物質除去体５が容易に抜け出さないようにストッパ機構を備えている。
【００３０】  このようにして、半完成品である放射性物質除去用マスクは完成品としての放射性物質除去用マスクとされるが、上記のような製造工程により製造されるので、放射性物質除剤が添着された活性炭素繊維製フィルタを使用した放射性物質除去用マスクでも、効率よく製作することができる。
【００３１】  また、マスクの身生地には空気の力を使って繊維をより合わせた空紡糸を使用したので、ふんわりとした織り上げ観があり、装着感も違和感のない。
また、耳掛け部が着用者の顔面に合わせて長さ調整が可能なループ調整機構を備えることにより、老若男女にも合わせることが可能である。
また、マスク本体の形状は、老若男女である子供用と大人用に合わせた形状であることとともに、マスクの色彩は女性らしい色を選択することもできる。
また、フィルタを出し入れするあるいはフィルタを縫い付けるポケットや耳に掛けるパイピング紐部分には、ウでのボイルガーゼを使用しているので、装着感も違和感がなく、洗濯機洗いも可能である。しかも、子供用としてだけではなく女性用としても好適である。
【００３２】  以上のように、この実施例では、放射性物質除去用マスクはトリエチレンジアミンが添着された活性炭素繊維製フィルタを代表例として説明したが、これに限定することなく特許文献１や特許文献２など各種の放射性物質除去剤を用いることができる。
【符号の説明】
【００３３】１    放射性物質除去用マスク本体
２    マスク本体
２ａ  かがり縫い部
３    耳掛け部
３ａ  紐部
３ｂ  ループ調整機構
３ｃ  耳部保護用カバー体
４    ポケット部
５    放射性物質除去体
６    除塵フィルタ（静電フィルタ）
７    アミン類が添着されてなる活性炭素繊維フィルタ
８    不織布
９    フィッター
Ｓ    隙間
【図１】
2016107027.tif 000003
【図２】
2016107027.tif 000004
【図３】
2016107027.tif 000005
【図４】
2016107027.tif 000006
【図５】
2016107027.tif 000007
【図６】
2016107027.tif 000008
【図７】
2016107027.tif 000009
【図８】
2016107027.tif 000010
【図９】
2016107027.tif 000011
【手続補正書】
【提出日】平成27年3月3日(2015.3.3)
【手続補正１】
【補正対象書類名】明細書
【補正対象項目名】００１２
【補正方法】変更
【補正の内容】
【００１２】
【図１】放射性物質除去用マスクの正面図である。
【図２】マスク本体の内面側とポケット部を示す背面図である。
【図３】マスク本体の構造を示す斜視図である。
【図４】マスク本体と放射性物質除去体の構造を示す説明用断面図である。
【図５】耳掛け部のループ調整機構を示す説明図である。
【図６】マスク本体と顔面との隙間を塞ぐフィツターの説明図である。
【図７】放射性物質除去体の製造手順を示す各工程図である。
【図８】放射性物質除去体の製造手順を示す各工程図である。
【図９】放射性物質除去用マスクの製造手順を示す各工程図である。